(57)【要約】      （修正有）【課題】従来の救命胴衣は、ベストの形状を有し水面に押し上げて浮かせることはできるが、体の残りの部位の頭部やでん部の保護は得られないものであった。水中に落ちた時や漂流した時に頭部やでん部を保護する救命胴衣を実現する。【解決手段】救命胴衣本体１に、フード２並びにでん部保護装置を設けることで、頭部及びでん部を保護することができる。更に、フード内の浮き装置によって頭部を水面上に押し上げ、頭部の水没による溺れを回避することが可能になる。また、救命胴衣本体１の下端にでん部保護装置を設けることで、でん部の保護並びに水の中に落ちた時の衝撃や流木との接触等によってでん部に受ける傷害を回避することが可能となる。【選択図】図１
2007238064.tif 000002
【特許請求の範囲】
【請求項１】
本実用新案は一種のフード付きの救命胴衣を公開するものであり、救命胴衣本体を含み、救命胴衣本体は前身頃及び後ろ身頃を含み、救命胴衣本体には更にフードを設け、フード内に浮き装置を設ける。本実用新案の長所は、救命胴衣のベスト本体に浮き装置付きのフードを加えることにあり、こうすることによって、人が水の中に落ちる等の不測の事態が発生した時、人の頭部を保護する役割を果たし、頭部が衝撃、擦り傷等の傷害を受けるのを避けることが出来、また、一方では人の頭部をフード内の浮き装置によって水面上に押し上げ、人が水の中で気を失った時、頭部が水面下に沈んで溺れるという状況の発生を避けることができる。
【請求項２】
救命胴衣の本体下方部に衝撃を和らげる役割を持つでん部保護装置を設ける。救命胴衣の本体下方部に部保護装置を設けることで、人が水中に転落した時の衝撃や漂流中に木材等漂流物との接触で、でん部に受ける傷害を避けでん部を保護することができる。
【発明の詳細な説明】
【技術分野】
【０００１】  本発明は、水難救命用のフード並びにでん部保護装置付き救命胴衣に関する。
【背景技術】
【０００２】  従来の救命胴衣は、ベストの形状を有し，水面に押し上げて浮かせることはできるが、体の残りの部位の保護が得られないものであった。【０００３】  具体的には、頭部の保護や気を失って頭部が垂れ下がり水面下に没するのを防げず、また、水中に落ちた時の衝撃や漂流物との接触による傷害からでん部等の保護が得られないものであった。
【発明の開示】
【発明が解決しようとする課題】
【０００４】  以上に述べた従来の救命胴衣では、頭部やでん部の保護が得られない。特に、頭部の水没防止やでん部への衝撃による傷害防止などの人命・身体保護の役割を果たせないものであった。【０００５】  本発明は、このような従来の構成が有していた問題を解決しようとするものであり、水中に落ちた時や漂流した時に頭部やでん部を保護する救命胴衣を実現することを目的とする。
【第１の課題を解決するための手段】
【頭部の保護】
【０００６】  本発明は上記目的を達成するために、頭部を保護するためのフード付き救命胴衣で、救命胴衣本体を含み、救命胴衣本体は前身頃及び後ろ身頃を含んでおり、その構造の要点は救命胴衣本体に浮き装置付きフードを設けたことにある。
【０００７】  上述の課題解決手段による作用は次のとおりである。すなわち、救命胴衣のベスト本体に浮き装置付きのフードを設け、そのフード内に浮き装置を設けたことにある。
【０００８】  このフードの開口端には、フードと頭部を固定する固定装置を設け、この装置を下顎に巻きつけて固定する。
【０００９】  上述の固定装置は、ストラップとし、フード開口端の両側にストラップを設けて、下顎の位置で固定が実現できる。
【００１０】  上述のフード内の浮き装置は、フード内に設ける固体の浮き材料とする。
【００１１】  上述の浮き材料の救命胴衣における分布割合は、前身頃部位の浮き材料は後ろ身頃より多くして前身頃の浮力を大きくする。こうした構造を救命胴衣に採用することで、人体が仰向けになるのを容易にする構造とする。
【００１２】  上記の固体の浮き材料は、ポリエチレン発砲体とし、１枚以上で構成する。
【００１３】  上述のフードと救命胴衣本体との間はファスナーで接続し、救命胴衣本体との一体性を確保するとともに取り外しができる構造とする。
【００１４】  救命胴衣のベスト部分は左右二つの部分に別れ、二つの部分の間は結合と取り外しが可能な構造を採用する。
【第２の課題を解決するための手段】
【でん部の保護】
【００１５】  上述のでん部保護の課題解決手段による作用は次のとおりである。すなわち、救命胴衣本体の下方には、でん部への衝撃を和らげる役割を持つでん部保護装置を設ける。
【００１６】  上述のでん部保護装置は浮くことのできるでん部保護装置とする。
【００１７】  上述のでん部保護装置は固体の浮き材料を設けることで実現する。
【００１８】  上述のでん部保護装置の固体の浮き材料は後ろ身頃より小さく又は少ないものとする。
【００１９】  上述のでん部保護装置は大腿部の中央より上に位置する。
【００２０】  上述のでん部保護装置の構造は、相互に独立した２つの部分で構成され、この２つの部分の独立したでん部保護部の一端は救命胴衣本体の後身頃と一体の接続構造とする。でん部保護部のもう一端にはでん部保護部を救命胴衣本体の前身頃に接続できる固定装置を設ける。
【００２１】上述の両部間の固定装置は両端がでん部保護部に固定される帯布とし、前述の帯布にはバックルを設け、前述のバックルと救命胴衣本体の前身頃に固定されるバックルは相互に留め合うことができる。
【００２２】  上述のでん部保護装置は１枚で構成することができ、それはでん部後方に直接位置し、そこの固定装置を通じて救命胴衣の前身頃の下端に接続される。
【発明の効果】
【００２３】  救命胴衣のベスト本体に浮き装置付きのフードを設けたことにより、人が水の中に落ちる等の不測の事態が発生した時、人の頭部を保護する役割を果たす。また、一方では人の頭部をフード内の浮き装置によって水面上に押し上げ、人が水中で気を失った時でも、頭部が水中に沈んで溺れるという状況を回避することができる。
【００２４】  救命胴衣の下方にでん部保護装置を設けることで、水中に落ちた時の衝撃や漂流物接触の衝撃で、でん部に受ける傷害を避けでん部を保護することができる。また、でん部保護装置を設けることで救命胴衣の浮力が増強され、人の体を水面上に浮かせる浮力の強化を図るかことができる。
【図面の簡単な説明】
【００２５】
【図１】  本発明の実施例１を示す構造概要図
【図２】  図１のＡ・Ａカッタウェイ概要図
【図３】  本発明の実施例２を示す構造概要図
【図４】  図３の背面図
【図５】  図３のＢ・Ｂ断面図
【符号の説明】
【００２６】  １  同救命胴衣本体
１１  前身頃
１２  後ろ身頃
１３  同救命胴衣本体における固定装置
２  フード
２１  フードの２つの部分の接続装置
２２  フードと同救命胴衣本体の間の接続
２３  フードと頭部の固定装置
３  でん部保護装置
３１  でん部保護装置における帯布
３２  帯布におけるバックル
４  生地層
５  気体室
６  ポリエチレン発砲体
３２  帯布におけるバックル
４  生地層
５  気体室
６  ポリエチレン発砲体
【図１】
2007238064.tif 000003
【図２】
2007238064.tif 000004
【図３】
2007238064.tif 000005
【図４】
2007238064.tif 000006
【図５】
2007238064.tif 000007